(57)【要約】
【課題】　マイクロフォンのコネクタを引張力から保護して，コードの切断を防止することにより，マイクロフォンの性能と寿命を向上させる。
【解決手段】　マイクロフォン（１）に装着してマイクロフォンとコード（３）との接続部分を保護するマイクロフォン保護用カバーであって，少なくともマイクロフォンとコードとの接続部分を覆うカバー本体（１０）と，カバー本体内に設けられ，コードが引張られたときの引張力を吸収する張力吸収手段とを備え，張力吸収手段は，カバー本体内の基端側に設けられた開口部を閉塞し，前記コードが貫通するコード貫通穴を有するエンドキャップ（２２）と，カバー本体内のエンドキャップと離間した位置でコードに固定されるストッパー（２４）と，ストッパーとエンドキャップの間に介在するコイルスプリング（２６）とを有する。
【選択図】　　図２
0003100428.tif 000002
【実用新案登録請求の範囲】
【請求項１】
　マイクロフォンに装着して前記マイクロフォンとこのマイクロフォンのコードとの接続部分を保護するマイクロフォン保護用カバーであって，
　少なくとも前記マイクロフォンと前記コードとの接続部分を覆うカバー本体と，
　前記カバー本体内に設けられ，前記コードが引張られたときの引張力を吸収する張力吸収手段とを備え，
　前記張力吸収手段は，前記カバー本体内の基端側に設けられた開口部を閉塞し，前記コードが貫通するコード貫通穴を有するエンドキャップと，
　前記カバー本体内の前記エンドキャップと離間した位置でコードに固定されるストッパーと，
　前記ストッパーと前記エンドキャップの間に介在するコイルスプリングとを有する，
ことを特徴とするマイクロフォン保護用カバー。
【考案の詳細な説明】
【技術分野】
【０００１】
　本考案は，マイクロフォンに取付けるマイクロフォン保護用カバーに関する。
【背景技術】
【０００２】
　マイクロフォン（MICROPHONE）は，一般に音波または超音波を受けて，その振動により電気信号を発生する装置であり，通常に使われているマイクロフォンの外観は図１に示すように構成されている。マイクロフォン（１）は把持部（１ａ）の先端に集音部（１ｂ）が設けられ，把持部（１ａ）の基端側にはコード（３）がコネクタ（２）を介して連結されている。
【考案の開示】
【考案が解決しようとする課題】
【０００３】
　しかしながら，このようなマイクロフォン（１）では，コード（３）ごと移動したり，繰返し使用されることにより，コネクタ（２）およびコード（３）は繰返し引張られるため，接続不良の問題が発生する。特にコードの自重によってもコネクタ（２）は引張力が作用する。
また，コード（３）が瞬間的に引張られるとその引張力により，コネクタ（２）の下段の部分でコード（３）が切れてしまう虞もある。
【０００４】
　そこで，本考案は，このような問題に鑑みてなされたもので，その目的とするところは，マイクロフォンのコネクタを引張力から保護することができ，コードの切断を防止することができるマイクロフォン保護用カバーを提供することにある。
【課題を解決するための手段】
【０００５】
　上記課題を解決するために，本考案によれば，マイクロフォンに装着して前記マイクロフォンとこのマイクロフォンのコードとの接続部分を保護するマイクロフォン保護用カバーであって，少なくとも前記マイクロフォンと前記コードとの接続部分を覆うカバー本体と，前記カバー本体内に設けられ，前記コードが引張られたときの引張力を吸収する張力吸収手段とを備え，前記張力吸収手段は，カバー本体内の基端側に設けられた開口部を閉塞し，前記コードが貫通するコード貫通穴を有するエンドキャップと，前記カバー本体内の前記エンドキャップと離間した位置でコードに固定されるストッパーと，前記ストッパーと前記エンドキャップの間に介在するコイルスプリングとを有することを特徴とするマイクロフォン保護用カバーが提供される。
【０００６】
　このような本考案によれば，マイクロフォンとコードの接続部を覆いコードの引張力から保護することができる。すなわち，マイクロフォンを使用する際に，コードが引張られると，その引張力は張力吸収手段の作用により吸収，分散されるので，コネクタを保護することができる。すなわち，上記コードが引張られるとコードに固定されたストッパーが共に引っ張られる。この時，ストッパーによりコイルスプリングが収縮するため，コードに発生する引張力はコイルスプリングにより吸収，分散される。
【０００７】
　これにより，コードが引張られてもコネクタにかかる引張力が極力軽減されるため，コードに繰返し引張力がかかっても，マイクロフォンとコードとの間で発生する接触不良を極力防止することができる。また，瞬間的な引張力がコードに発生しても，その張力はコイルスプリングにより吸収されるため，コードが切れることを防止できる。これにより，マイクロフォン性能を維持することができ，マイクロフォンの寿命を延すことができる。このように，マイクロフォン保護用カバーにより，マイクロフォンの性能を維持することができるので，多数の人々によりマイクロフォンが繰返し使用されるような店舗用のマイクロフォンに効果的に適用できる。また，コードが外力によって切れないことでマイクロフォンあるいはコードの交換にともなう費用を節約することができる。
【考案の効果】
【０００８】
　本考案によれば，保護用カバーをマイクロフォンに装着して，マイクロフォンをコードの引張力から保護することにより，マイクロフォンとコードとの間に接触不良が生じることを防止することができ，またコードが切断することを防止できる。これにより，マイクロフォン性能を維持することができ，マイクロフォンの寿命を延すことができる。また，コードが外力によって切れないことでマイクロフォンあるいはコードの交換にともなう費用を節約することができる。
【考案を実施するための最良の形態】
【０００９】
　以下に添付図面を参照しながら，本考案の好適な実施の形態について詳細に説明する。なお，本明細書及び図面において，実質的に同一の機能構成を有する構成要素については，同一の符号を付することにより重複説明を省略する。
【００１０】
　図２は本考案の実施形態にかかるマイクロフォン保護用カバー（MICROPHONE PROTECTION COVER）をマイクロフォンに装着した場合の断面図である。図３は本実施形態にかかるマイクロフォン保護用カバーをマイクロフォンに装着した場合の外観図である。図４は本実施形態にかかるマイクロフォン保護用カバーに設けられる張力吸収手段の構成を示す斜視図である。
【００１１】
　図２，図３に示すように本実施形態にかかるマイクロフォン保護用カバーは，マイクロフォン（１）とこのマイクロフォン（１）のコード（３）との接続部を覆うようにマイクロフォン（１）に装着される。より詳細には，マイクロフォン保護用カバーは，マイクロフォン（１）の把持部（１ｂ）の基端側をコネクタ（２）ごと覆うカバー本体（１０）を備える。このカバー本体（１０）はマイクロフォン（１）の外側を包んで，マイクロフォン（１）とコード（３）を保護するものである。このカバー本体（１０）には，図３に示すように係止穴（１２）が形成され，その係止穴（１２）に挿入するねじ（１４）によりマイクロフォン（１）に固定される。
【００１２】
　図１に示すように本実施形態にかかるマイクロフォン保護用カバーのカバー本体（１０）内には，コード（３）を介してマイクロフォン（１）のコネクタ（２）にかかる引張力を吸収する張力吸収手段（２０）を備える。張力吸収手段（２０）は，上記カバー本体（１０）内の基端部に配置される。
【００１３】
　張力吸収手段（２０）は，図４にも示すようにコード貫通穴（２２ａ）にコード（１）を通した状態でカバー本体（１０）の基端部の開口部を閉塞するエンドキャップ（２２）と，このエンドギャップ（２２）からマイクロフォン（１）の先端方向へ離間した位置でコード（３）に固定されるストッパー（２４）とを備え，このストッパー（２４）とエンドキャップ（２２）との間に，コード（３）の張力を吸収する張力吸収部材例えばコイルスプリング（２６）を介在してなる。
【００１４】
　より詳細には，コイルスプリング（２６）の基端はエンドキャップ（２２）のカバー本体（１０）側のコード貫通穴（２２ａ）が形成されたボス部（２２ｂ）に挿嵌され，コイルスプリング（２６）の先端はスプリング作用板（２８）にコード貫通穴（２８ａ）が形成されたボス部（２８ｂ）に挿嵌されている。また，スプリング作用板（２８）よりも先端側には，コード（３）に固定されるストッパー（２４）がエンドキャップ（２２）とはある程度離間して設けられている。このようにコイルスプリング（２６）の先端にスプリング作用板（２８）を設けることにより，ストッパー（２４）がコイルスプリング（２６）の作用を受けやすくし，円滑に作用できるようにしている。
【００１５】
　なお，図２に示すように，ストッパー（２４）とコネクタ（２）との間のコード（３）は，ストッパ（２４）が引張られたときにコネクタ（２）が引張られないように，ある程度弛ませておくことが望ましい。また，このようにコード（３）を弛ませることにより，張力吸収手段（２０）が確実に作用できるようになる。
【００１６】
　このような構成のマイクロフォン保護用カバーによれば，コネクタ（２）部位を密閉させてコード（３）の引張力から保護することができる。すなわち，マイクロフォン（１）を使用する際に，コード（３）が引張られると，その引張力は張力吸収手段（２０）の作用により吸収，分散されるので，コネクタ（２）を保護することができる。すなわち，上記コード（３）が引張られるとコード（３）に固定されるストッパー（２４）が共に引っ張られる。この時，ストッパー（２４）がスプリング作用板（２８）に当接することによりコイルスプリング（２６）が収縮するため，コード（３）に発生する引張力はコイルスプリング（２６）により吸収，分散される。
【００１７】
　これにより，コード（３）が引張られてもコネクタ（２）にかかる引張力が極力軽減されるため，コード（３）に繰返し引張力がかかっても，マイクロフォン（１）とコード（３）との間で発生する接触不良を極力防止することができる。また，瞬間的な引張力がコード（３）に発生しても，その張力はコイルスプリング（２６）により吸収されるため，コード（３）が切れることを防止できる。これにより，マイクロフォン性能を維持することができ，マイクロフォンの寿命を延すことができる。このように，マイクロフォン保護用カバーにより，マイクロフォン（１）の性能を維持することができるので，多数の人々によりマイクロフォン（１）が繰返し使用されるような店舗用のマイクロフォンに効果的に適用できる。また，コード（３）が外力によって切れないことでマイクロフォン（１）あるいはコード（３）の交換にともなう費用を節約することができる。
【００１８】
　以上，添付図面を参照しながら本考案の好適な実施形態について説明したが，本考案は係る例に限定されないことは言うまでもない。当業者であれば，実用新案登録請求の範囲に記載された範疇内において，各種の変更例または修正例に想到し得ることは明らかであり，それらについても当然に本考案の技術的範囲に属するものと了解される。
【産業上の利用可能性】
【００１９】
　本考案は，マイクロフォンに装着してマイクロフォンを保護するマイクロフォン保護用カバーに適用可能である。
【図面の簡単な説明】
【００２０】
【図１】従来のマイクロフォンの外観構成を示す正面図である。
【図２】本考案の実施形態にかかるマイクロフォン保護用カバーがマイクロフォンに装着された場合の構成を示す断面図である。
【図３】本実施形態にかかるマイクロフォン保護用カバーがマイクロフォンに装着された場合の外観構成を示す正面図である。
【図４】本実施形態にかかるマイクロフォン保護用カバーの張力吸収手段の構成を示す斜視図である。
【符号の説明】
【００２１】
１：マイクロフォン
１０：カバー本体
２０：張力吸収手段
２２：エンドキャップ
２４：ストッパー
２６：コイルスプリング
【図１】
0003100428.tif 000003
【図２】
0003100428.tif 000004
【図３】
0003100428.tif 000005
【図４】
0003100428.tif 000006